(57)【要約】【課題】機器管理装置などにおけるアラートの確認作業がより迅速にできるようにする。【解決手段】一覧表示形態制御部１０４は、例えば、ユーザによる入力部１０７の操作などにより未確認選択指示を受け付けると、アラートイベント取得部１０２により取得されたアラートイベント情報の確認／未確認情報を参照し、未確認を示す情報が格納されているアラートイベント情報を選択し、選択したアラートイベント情報の確認／未確認情報を確認済みとする。【選択図】  図１
2015082158.tif 000002
【特許請求の範囲】
【請求項１】
階層構造で管理される複数の機器のそれぞれに発生したアラートに対応する指標をツリー形式で表示部に表示し、選択された機器に発生したアラート情報を一覧で前記表示部に表示する機器状態表示装置であって、
前記機器を一意に特定する機器識別情報，前記機器で発生したアラートの種別を示す種別情報，前記機器で発生したアラートの優先度を示す優先度情報，前記機器でアラートが発生したときのアラート発生日時および前記機器で発生したアラートを通知したときのアラート通知日時，および前記機器で発生したアラートが確認されたか否かを示す確認／未確認情報を含む前記機器で発生するアラートイベントに関するアラートイベント情報を蓄積するアラートイベント履歴記憶部と、
前記アラートイベント履歴記憶部から、前記アラートイベント情報を取得するアラートイベント取得部と、
前記アラートイベント取得部により取得された前記アラートイベント情報に基づいて、前記指標の表示形態を制御するツリー表示形態制御部と、
前記アラートイベント取得部により取得された前記アラートイベント情報に基づいて、選択された機器に発生したアラート情報の一覧の表示形態を制御する一覧表示形態制御部と
を備え、
前記ツリー表示形態制御部は、
前記アラートイベント取得部により取得された前記アラートイベント情報の前記優先度情報を参照し、前記優先度情報に格納されている前記優先度のうち、最も高い前記優先度に対応する前記表示形態とし、
表示対象の前記機器が自機器の下位階層に前記機器を有する場合には、前記アラートイベント取得部により取得された前記アラートイベント情報の前記優先度情報であって、前記表示対象の前記機器および前記下位階層に位置する全ての前記機器に対応する前記優先度情報を参照し、前記優先度情報に格納されている前記優先度のうち、最も高い前記優先度に対応する前記表示形態とし、
前記アラートイベント取得部により取得された前記アラートイベント情報の前記確認／未確認情報を参照し、いずれか一つにでも未確認を示す情報が格納されているときに、未確認であることを示す前記表示形態とし、
表示対象の前記機器が自機器の下位階層に前記機器を有する場合には、前記アラートイベント取得部により取得された前記アラートイベント情報の前記確認／未確認情報であって、前記表示対象の前記機器および前記下位階層に位置する全ての前記機器に対応する前記確認／未確認情報を参照し、いずれか一つにでも未確認を示す情報が格納されているときに、未確認であることを示す前記表示形態とし、
前記一覧表示形態制御部は、
未確認選択指示を受け付けると、前記アラートイベント取得部により取得された前記アラートイベント情報の前記確認／未確認情報を参照し、未確認を示す情報が格納されているアラートイベント情報を選択し、選択したアラートイベント情報の確認／未確認情報を確認済みとする
ことを特徴とする機器状態表示装置。
【請求項２】
階層構造で管理される複数の機器のそれぞれに発生したアラートに対応する指標をツリー形式で表示部に表示し、選択された機器に発生したアラート情報を一覧で前記表示部に表示する機器状態表示方法であって、
前記機器を一意に特定する機器識別情報，前記機器で発生したアラートの種別を示す種別情報，前記機器で発生したアラートの優先度を示す優先度情報，前記機器でアラートが発生したときのアラート発生日時および前記機器で発生したアラートを通知したときのアラート通知日時，および前記機器で発生したアラートが確認されたか否かを示す確認／未確認情報を含む前記機器で発生するアラートイベントに関するアラートイベント情報を蓄積するアラートイベント履歴記憶部から、前記アラートイベント情報を取得するアラートイベント取得ステップと、
前記アラートイベント取得ステップで取得された前記アラートイベント情報に基づいて、前記指標の表示形態を制御するツリー表示形態制御ステップと、
前記アラートイベント取得ステップで取得された前記アラートイベント情報に基づいて、選択された機器に発生したアラート情報の一覧の表示形態を制御する一覧表示形態制御ステップと
を備え、
前記ツリー表示形態制御ステップでは、
前記アラートイベント取得ステップで取得された前記アラートイベント情報の前記優先度情報を参照し、前記優先度情報に格納されている前記優先度のうち、最も高い前記優先度に対応する前記表示形態とし、
表示対象の前記機器が自機器の下位階層に前記機器を有する場合には、前記アラートイベント取得ステップで取得された前記アラートイベント情報の前記優先度情報であって、前記表示対象の前記機器および前記下位階層に位置する全ての前記機器に対応する前記優先度情報を参照し、前記優先度情報に格納されている前記優先度のうち、最も高い前記優先度に対応する前記表示形態とし、
前記アラートイベント取得ステップで取得された前記アラートイベント情報の前記確認／未確認情報を参照し、いずれか一つにでも未確認を示す情報が格納されているときに、未確認であることを示す前記表示形態とし、
表示対象の前記機器が自機器の下位階層に前記機器を有する場合には、前記アラートイベント取得ステップで取得された前記アラートイベント情報の前記確認／未確認情報であって、前記表示対象の前記機器および前記下位階層に位置する全ての前記機器に対応する前記確認／未確認情報を参照し、いずれか一つにでも未確認を示す情報が格納されているときに、未確認であることを示す前記表示形態とし、
前記一覧表示形態制御ステップでは、
未確認選択指示を受け付けると、前記アラートイベント取得部により取得された前記アラートイベント情報の前記確認／未確認情報を参照し、未確認を示す情報が格納されているアラートイベント情報を選択し、選択したアラートイベント情報の確認／未確認情報を確認済みとする
ことを特徴とする機器状態表示方法。
【発明の詳細な説明】
【技術分野】
【０００１】
本発明は、制御・監視対象の機器の状態を表示する機器状態表示装置および機器状態表示方法に関する。
【背景技術】
【０００２】
例えば、建築物に付帯している各設備の監視制御や、プラントなどの制御には制御システムが用いられ、さらに機器管理装置が用いられている場合がある（特許文献１参照）。例えば、機器管理装置は、フィールドバスなどのネットワークにより接続している現場に設置されたプロセス機器や各種センサなどのフィールド機器との間で信号をやりとりし、例えば、パラメータ設定により較正を行い、また、フィールド機器の動作状態に関する診断結果を表示している。
【０００３】
また、例えば、生産プロセスを管理する現場では、プラント内に多くのプロセス機器や各種センサを配置され、これらの各フィールド機器は、一般に階層構造を形成して接続されている。機器管理装置では、これらの階層構造に合わせたツリー形式で機器を管理画面上に表示し、複雑に配置されている多数のコントローラおよびフィールド機器を把握し易くしている。また、コントローラやフィールド機器をツリー形式で表示するなかで、各機器で発生した警報（アラート）の状態をアイコンで表示している（特許文献２参照）。
【０００４】
このような診断結果の１つに、ツリー形式で示される機器のアイコンに近接し、各機器で発生している警報（アラート）の状態（診断区分）をアイコンで示すとともに、選択した機器で発生している全てのアラートを一覧にして示す形態がある。
【０００５】
例えば、ツリー表示では、図５に示すように、上位の機器に３つの下位の機器が接続された状態を、上位の機器を示す機器アイコン５０１に、下位の機器を示す機器アイコン５０２，５０３，５０４をツリー形式で接続して表示する。例えば、上位の機器はコントローラであり、下位の機器はフィールド機器である。また、各機器アイコンに近接し、診断区分を示すアラートアイコン５０５，５０６，５０７，５０８を表示する。この例では、アラートアイコン５０５，アラートアイコン５０５は、故障していることを示し、対処の優先度が第１位の警報を示している。また、アラートアイコン５０７は、対処が済んで正常な状態を示している。また、アラートアイコン５０８は、機器を修理しているなどの対処中であることを示し、対処の優先度が第２位の警報を示している。
【０００６】
また、選択した機器の一覧表示では、図６に示すように、発生日時、通知日時、診断区分、機器識別などの情報が表示される。一覧表示では、選択した機器に関する全てのアラートが表示される。ただし、発生しているアラートが多い場合、このような表示を行うディスプレーの表示領域の制限により、全てのアラートを一度に表示できない場合もある。このような場合、一覧表示の領域において、よく知られたスクロール操作により表示領域を遷移させることで、全てのアラートが確認できるようにしている。
【０００７】
一方、ツリー表示においては、機器に関して発生しているアラートのなかで、優先度が最も高い１つのアラートのアイコンが、機器アイコンに近接して表示される。例えば、図６は、図５の機器アイコン５０２の一覧表示であり、従って、一覧表示のなかの優先度が最も高い、優先度第１位の警報を示すアラートアイコン５０６が、機器アイコン５０２に近接して表示される。また、ツリー表示においても、機器アイコン５０１にぶら下がる全ての機器のなかで、優先度が最も高い優先度第１位の警報を示すアラートアイコン５０５が、機器アイコン５０１に近接して表示される。
【０００８】
なお、アラートアイコンは、図７に示すように、優先順位が第１位であり機器の故障を示すアイコン７０１，優先順位が第２位であり調整中を示すアイコン７０２，優先順位が第３位であり動作条件を逸脱していることを示すアイコン７０３，優先順位が第４位であり保守が必要であることを示すアイコン７０４，優先順位が第５位であり情報があることを示すアイコン７０５，優先順位が第６位でありその他を示すアイコン７０６，優先順位が第７位であり正常動作中であることを示すアイコン７０７などがある。
【０００９】
また、上述したように表示されるアラートにおいては、表示されたアラートについて確認済み、もしくは未確認であるかが、表示上で認識できることが重要となる。例えば、上述したツリー表示においては、未確認であることを、アラートアイコンの点滅表示で示すようにしている。また、一覧表示においては、確認の欄にチェックが示されていることにより、確認済みであることを示すようにしている。また、一覧表示においては、マウスなどの入力機器の操作により確認の欄にチェックを入力することで、確認済みの状態に変更することができる。このような確認動作を全てのアラートに対して実施すると、ツリー表示における機器アイコンの近傍のアラートアイコンの点滅表示が停止する。
【先行技術文献】
【特許文献】
【００１０】
【特許文献１】特開２０１２−０１４３８８号公報
【特許文献２】特開２０１３−１１４３８８号公報
【発明の概要】
【発明が解決しようとする課題】
【００１１】
ところで、上述した確認動作は、一覧表示で示される全てのアラートに対し、１件ずつ実施することになる。このため、大量の未確認アラートが残っている場合などは、アラートの検索およびその確認操作に時間を要するという問題がある。
【００１２】
本発明は、以上のような問題点を解消するためになされたものであり、機器管理装置などにおけるアラートの確認作業がより迅速にできるようにすることを目的とする。
【課題を解決するための手段】
【００１３】
本発明に係る機器状態表示装置は、階層構造で管理される複数の機器のそれぞれに発生したアラートに対応する指標をツリー形式で表示部に表示し、選択された機器に発生したアラート情報を一覧で表示部に表示する機器状態表示装置であって、機器を一意に特定する機器識別情報，機器で発生したアラートの種別を示す種別情報，機器で発生したアラートの優先度を示す優先度情報，機器でアラートが発生したときのアラート発生日時および機器で発生したアラートを通知したときのアラート通知日時，および機器で発生したアラートが確認されたか否かを示す確認／未確認情報を含む機器で発生するアラートイベントに関するアラートイベント情報を蓄積するアラートイベント履歴記憶部と、アラートイベント履歴記憶部から、アラートイベント情報を取得するアラートイベント取得部と、アラートイベント取得部により取得されたアラートイベント情報に基づいて、指標の表示形態を制御するツリー表示形態制御部と、アラートイベント取得部により取得されたアラートイベント情報に基づいて、選択された機器に発生したアラート情報の一覧の表示形態を制御する一覧表示形態制御部とを備える。
【００１４】
上記構成において、ツリー表示形態制御部は、アラートイベント取得部により取得されたアラートイベント情報の優先度情報を参照し、優先度情報に格納されている優先度のうち、最も高い優先度に対応する表示形態とし、表示対象の機器が自機器の下位階層に機器を有する場合には、アラートイベント取得部により取得されたアラートイベント情報の優先度情報であって、表示対象の機器および下位階層に位置する全ての機器に対応する優先度情報を参照し、優先度情報に格納されている優先度のうち、最も高い優先度に対応する表示形態とし、アラートイベント取得部により取得されたアラートイベント情報の確認／未確認情報を参照し、いずれか１つにでも未確認を示す情報が格納されているときに、未確認であることを示す表示形態とし、表示対象の機器が自機器の下位階層に機器を有する場合には、アラートイベント取得部により取得されたアラートイベント情報の確認／未確認情報であって、表示対象の機器および下位階層に位置する全ての機器に対応する確認／未確認情報を参照し、いずれか１つにでも未確認を示す情報が格納されているときに、未確認であることを示す表示形態とする。
【００１５】
加えて、一覧表示形態制御部は、未確認選択指示を受け付けると、アラートイベント取得部により取得されたアラートイベント情報の確認／未確認情報を参照し、未確認を示す情報が格納されているアラートイベント情報を選択し、選択したアラートイベント情報の確認／未確認情報を確認済みとする。
【００１６】
また、本発明に係る機器状態表示方法は、階層構造で管理される複数の機器のそれぞれに発生したアラートに対応する指標をツリー形式で表示部に表示し、選択された機器に発生したアラート情報を一覧で表示部に表示する機器状態表示方法であって、機器を一意に特定する機器識別情報，機器で発生したアラートの種別を示す種別情報，機器で発生したアラートの優先度を示す優先度情報，機器でアラートが発生したときのアラート発生日時および機器で発生したアラートを通知したときのアラート通知日時，および機器で発生したアラートが確認されたか否かを示す確認／未確認情報を含む機器で発生するアラートイベントに関するアラートイベント情報を蓄積するアラートイベント履歴記憶部から、アラートイベント情報を取得するアラートイベント取得ステップと、アラートイベント取得ステップで取得されたアラートイベント情報に基づいて、指標の表示形態を制御するツリー表示形態制御ステップと、アラートイベント取得ステップで取得されたアラートイベント情報に基づいて、選択された機器に発生したアラート情報の一覧の表示形態を制御する一覧表示形態制御ステップとを備える。
【００１７】
また、ツリー表示形態制御ステップでは、アラートイベント取得ステップで取得されたアラートイベント情報の優先度情報を参照し、優先度情報に格納されている優先度のうち、最も高い優先度に対応する表示形態とし、表示対象の機器が自機器の下位階層に機器を有する場合には、アラートイベント取得ステップで取得されたアラートイベント情報の優先度情報であって、表示対象の機器および下位階層に位置する全ての機器に対応する優先度情報を参照し、優先度情報に格納されている優先度のうち、最も高い優先度に対応する表示形態とし、アラートイベント取得ステップで取得されたアラートイベント情報の確認／未確認情報を参照し、いずれか１つにでも未確認を示す情報が格納されているときに、未確認であることを示す表示形態とし、表示対象の機器が自機器の下位階層に機器を有する場合には、アラートイベント取得ステップで取得されたアラートイベント情報の確認／未確認情報であって、表示対象の機器および下位階層に位置する全ての機器に対応する確認／未確認情報を参照し、いずれか１つにでも未確認を示す情報が格納されているときに、未確認であることを示す表示形態とする。
【００１８】
加えて、一覧表示形態制御ステップでは、未確認選択指示を受け付けると、アラートイベント取得部により取得されたアラートイベント情報の確認／未確認情報を参照し、未確認を示す情報が格納されているアラートイベント情報を選択し、選択したアラートイベント情報の確認／未確認情報を確認済みとする。
【発明の効果】
【００１９】
以上説明したように、本発明によれば、未確認を示す情報が格納されているアラートイベント情報を選択し、選択したアラートイベント情報の確認／未確認情報を確認済みとするようにしたので、機器管理装置などにおけるアラートの確認作業がより迅速にできるようになるという優れた効果が得られる。
【図面の簡単な説明】
【００２０】
【図１】図１は、本発明の実施の形態における機器状態表示装置１００を含む機器管理システムの構成を示す構成図である。
【図２】図２は、アラートイベント履歴記憶部１０１の構成例を示す説明図である。
【図３】図３は、機器情報記憶部１０５の構成例を示す説明図である。
【図４】図４は、本発明の実施の形態における機器状態表示方法について説明するフローチャートである。
【図５】図５は、機器管理装置などで用いられる機器状態表示装置におけるツリー表示の１例を示す説明図である。
【図６】図６は、機器管理装置などで用いられる機器状態表示装置におけるアラートイベント情報の一覧表示の１例を示す説明図である。
【図７】図７は、アラートアイコンの例を示す説明図である。
【発明を実施するための形態】
【００２１】
以下、本発明の実施の形態について図を参照して説明する。図１は、本発明の実施の形態における機器状態表示装置１００を含む機器管理システムの構成を示す構成図である。このシステムは、機器状態表示装置１００，コントローラ１２０，複数のフィールド機器１３１を備える。
【００２２】
コントローラ１２０およびフィールド機器１３１は階層関係にある機器であり、コントローラ１２０が上位階層に位置し、フィールド機器１３１がコントローラ１２０の下位階層に位置する。
【００２３】
フィールド機器１３１は、プラントなどに配置される機器であり、例えばフィールドバスを介してコントローラ１２０と双方向に通信する機能を有する。フィールドバスは、デジタル信号で双方向通信可能な通信方式のネットワークである。この通信仕様は、フィールドバス協会（Fieldbus Foundation（登録商標））によって、ファウンデーションフィールドバス(Foundation Fieldbus)として規格化（標準化）されている。
【００２４】
フィールド機器１３１としては、例えば、流量，圧力，温度などを検出する各種センサ機器、流量制御弁や圧力制御弁などの各種バルブを制御するバルブポジショナ、ポンプやファンなどを動作させる各種アクチュエータなどがある。
【００２５】
コントローラ１２０は、下位階層に位置するフィールド機器１３１を統括制御する。コントローラ１２０は、例えば、センサ機器であるいずれかのフィールド機器１３１から取得した流量や圧力などの測定値に基づき、バルブポジショナであるいずれかのフィールド機器１３１を制御することで、いずれかのフィールド機器１３１であるバルブの開度などを制御する。
【００２６】
機器状態表示装置１００は、アラートイベント履歴記憶部１０１，アラートイベント取得部１０２，ツリー表示形態制御部１０３，一覧表示形態制御部１０４，機器情報記憶部１０５，表示部１０６，および入力部１０７を備える。機器状態表示装置１００は、上記構成により、階層構造で管理されるコントローラ１２０および複数のフィールド機器１３１の各々に発生したアラートに対応する指標を、ツリー形式で表示し、選択された機器に発生したアラート情報を一覧で表示する機能を発現する。なお、指標は、アイコンであり、コントローラ１２０および複数のフィールド機器１３１などの各機器の状態を表示するマークである。
【００２７】
アラートイベント履歴記憶部１０１は、図２に例示するように、コントローラ１２０やフィールド機器１３１などの機器を一意に特定する機器識別情報，機器で発生したアラートの種別を示す種別情報，機器で発生したアラートの優先度を示す優先度情報，機器でアラートが発生したときのアラート発生日時および機器で発生したアラートを通知したときのアラート通知日時，機器で発生したアラートが確認されたか否かを示す確認／未確認情報を含む機器で発生するアラートイベントに関するアラートイベント情報を蓄積（記憶）する。
【００２８】
アラートイベント取得部１０２は、上述したアラートイベント情報を記憶するアラートイベント履歴記憶部１０１から、アラートイベント情報を取得する。
【００２９】
ツリー表示形態制御部１０３は、アラートイベント取得部１０２により取得されたアラートイベント情報に基づいて、アラートなどの指標の表示形態を制御する。
【００３０】
一覧表示形態制御部１０４は、アラートイベント取得部１０２により取得されたアラートイベント情報に基づいて、選択された機器に発生したアラート情報の一覧の表示形態を制御する。このような一覧表示形態制御部１０４の表示制御により、図６を用いて説明した一覧によるアラートの表示が実現される。
【００３１】
この一覧表示に加え、実施の形態における一覧表示形態制御部１０４は、例えば、ユーザによる入力部１０７の操作などにより未確認選択指示を受け付けると、アラートイベント取得部１０２により取得されたアラートイベント情報の確認／未確認情報を参照し、未確認を示す情報が格納されているアラートイベント情報を選択し、選択したアラートイベント情報の確認／未確認情報を確認済みとする。また、このように確認済みの状態とした後、一覧表示形態制御部１０４は、一覧表示されているなかで、未確認の表示状態とされていたアラートイベント情報を、確認済みの表示形態とする。
【００３２】
機器情報記憶部１０５は、コントローラ１２０やフィールド機器１３１に関する機器情報を記憶する。例えば、図３に示すように、データ項目として、機器識別情報項目および階層情報項目を有する。機器識別情報項目は、コントローラ１２０やフィールド機器１３１を一意に特定する識別情報である機器識別情報を格納する。また、階層情報項目は、親識別情報項目と子識別情報項目とをさらに含む。親識別情報項目は、親ノードとなる機器識別情報を格納し、子識別情報項目は、子ノードの機器識別情報を格納する。階層情報項目を参照することで、親ノードや子ノードの存在を確認できる。
【００３３】
表示部１０６には、ツリー表示形態制御部１０３により制御された表示形態で指標が表示され、一覧表示形態制御部１０４により制御された表示形態で一覧が表示される。入力部１０７は、例えばマウスやキーボードなどから構成され、ユーザの操作による情報操作や指示入力などを受け付ける。
【００３４】
また、ツリー表示形態制御部１０３は、次に説明する表示形態でツリー表示を行う。まず、アラートイベント取得部１０２により取得されたアラートイベント情報の優先度情報を参照し、優先度情報に格納されている優先度のうち、最も高い優先度に対応する表示形態とする。また、表示対象の機器がこの機器の下位階層に機器を有する場合には、アラートイベント取得部１０２により取得されたアラートイベント情報の優先度情報であって、表示対象の機器および下位階層に位置する全ての機器に対応する優先度情報を参照し、優先度情報に格納されている優先度のうち、最も高い優先度に対応する表示形態とする。
【００３５】
また、アラートイベント取得部１０２により取得されたアラートイベント情報の確認／未確認情報を参照し、いずれか１つにでも未確認を示す情報が格納されているときに、未確認であることを示す表示形態とする。また、表示対象の機器が自機器の下位階層に機器を有する場合には、アラートイベント取得部１０２により取得されたアラートイベント情報の確認／未確認情報であって、表示対象の機器および下位階層に位置する全ての機器に対応する確認／未確認情報を参照し、いずれか１つにでも未確認を示す情報が格納されているときに、未確認であることを示す表示形態とする。
【００３６】
上述したツリー表示形態制御部１０３の表示制御により、図５を用いて説明したツリー表示が実現される。
【００３７】
なお、機器状態表示装置１００は、例えば、ＣＰＵ（Central Processing Unit；中央演算処理装置）と主記憶装置と外部記憶装置とネットワーク接続装置となどを備えたコンピュータ機器であり、主記憶装置に展開されたプログラムによりＣＰＵが動作することで、上述した各機能が実現される。また、各機能は、複数のコンピュータ機器に分散させるようにしてもよい。
【００３８】
次に、本発明の実施の形態における機器状態表示装置の動作（機器状態表示方法）について、図４のフローチャートを用いて説明する。
【００３９】
まず、ステップＳ４０１で、アラートイベント取得部１０２が、処理対象機器より通知されたアラートイベント情報を、アラートイベント履歴記憶部１０１から取得する。次に、ステップＳ４０２で、ツリー表示形態制御部１０３が、取得されたアラートイベント情報の優先度項目を参照し、各優先度項目に格納されている優先度のうち最も高い優先度を示すアイコンを表示する形態を、処理対象機器の指標の表示形態とする。
【００４０】
次に、ステップＳ４０３で、ツリー表示形態制御部１０３は、取得されたアラートイベント情報の確認項目を参照し、いずれか１つにでも未確認であることを示す情報が格納されている場合に、アイコンを点滅表示する形態を、処理対象機器の指標の表示形態とする。
【００４１】
次に、ステップＳ４０４で、ツリー表示形態制御部１０３は、機器情報記憶部１０５を参照し、処理対象機器に子ノードの機器が存在するか否かを判定する。子ノードの機器が存在する場合（ステップＳ４０５のｙ）、全ての子ノードの機器を対象に、ステップＳ４０１〜ステップＳ４０３を実施する（ステップＳ４０５）。
【００４２】
次に、ステップＳ４０６で、ツリー表示形態制御部１０３は、各機器について、自機器および下位階層に位置する全ての機器について、各々で設定されたアイコンに対応する優先度を比較し、これらのなかで最も高い優先度を示すアイコンを表示する形態を、自機器の指標の表示形態とする。
【００４３】
次に、ステップＳ４０７で、ツリー表示形態制御部１０３は、各機器について、自機器および下位階層に位置する全ての機器のいずれか１つにでも未確認を表現するアイコンの点滅表示が設定されている場合には、アイコンを点滅表示する形態を、自機器の指標の表示形態とする。以上のようにしてツリー表示形態制御部１０３で表示形態が決定されると、ステップＳ４０８で、決定された表示形態のツリー表示を、表示部１０６の所定の領域に表示する。
【００４４】
次に、ステップＳ４０９で、一覧表示形態制御部１０４が、アラートイベント取得部１０２により取得されたアラートイベント情報に基づいて、選択された機器に発生したアラート情報の一覧の表示形態を設定する。次に、ステップＳ４１０で、決定された表示形態の一覧を、表示部１０６の所定の領域に表示する。例えば、ツリー表示の領域の右隣に、一覧の表示をすればよい。
【００４５】
次に、ステップＳ４１１で、一覧表示形態制御部１０４は、ユーザによる入力部１０７の操作などによる未確認選択指示の入力の有無を検出する。未確認選択指示の入力が検出されると（ステップＳ４１１のｙ）、ステップＳ４１２で、一覧表示形態制御部１０４は、アラートイベント取得部１０２により取得されたアラートイベント情報の確認／未確認情報を参照し、未確認を示す情報が格納されているアラートイベント情報を選択する。次に、ステップＳ４１３で、一覧表示形態制御部１０４は、選択したアラートイベント情報の確認／未確認情報を確認済みとする。
【００４６】
この後、ステップＳ４１４で、変更された確認／未確認情報をもとに、ツリー表示形態制御部１０３が、ツリー表示の表示形態を変更し、一覧表示形態制御部１０４が一覧表示の表示形態を変更する。具体的には、ツリー表示形態制御部１０３は、対象となる機器における指標を示すアイコンの点滅表示を停止する。また、一覧表示形態制御部１０４は、一覧表示のなかの全ての確認の欄にチェックが示された状態とする。
【００４７】
以上に説明したように、本発明によれば、ユーザの指示により、未確認の全てのアラートイベント情報を、まとめて確認済みの状態とすることができるので、機器管理装置などにおけるアラートの確認作業がより迅速にできるようになる。機器の状態は正常に戻っており、現時点では無視できるが確認がされていないアラートを処理したい場合や、故障情報などではなく、重要なアラートとして扱わなくてよいアラートを処理したい場合などがある。また、例えば、アラートには、問題の発生を示すものに限らず、問題が解消されたことを示すものもある。これらについて、各々個別に確認することなく、一括で確認済みとすることができるようになる。
【００４８】
なお、本発明は以上に説明した実施の形態に限定されるものではなく、本発明の技術的思想内で、当分野において通常の知識を有する者により、多くの変形および組み合わせが実施可能であることは明白である。例えば、機器が新たに接続されたなどの着脱イベント情報を利用し（特許文献２参照）、機器が「着状態」となった以降に通知されたアラートのなかより、上述したように未確認について抽出するようにしてもよい。また、ユーザによる未確認選択指示を受け付けると、未確認のアラートイベント情報のみを一覧でユーザに視認可能に表示（通知）した後、ユーザによる確定指示を受け付けてから、まとめて確認済みの状態としてもよい。
【符号の説明】
【００４９】
１００…機器状態表示装置、１０１…アラートイベント履歴記憶部、１０２…アラートイベント取得部、１０３…ツリー表示形態制御部、１０４…一覧表示形態制御部、１０５…機器情報記憶部、１０６…表示部、１０７…入力部、１２０…コントローラ、１３１…フィールド機器。
【図１】
2015082158.tif 000003
【図２】
2015082158.tif 000004
【図３】
2015082158.tif 000005
【図４】
2015082158.tif 000006
【図５】
2015082158.tif 000007
【図６】
2015082158.tif 000008
【図７】
2015082158.tif 000009